(57)【要約】【課題】  軽量で衣裳の着せ替えがし易く、自立する構造になるマネキンの下半身構造を提供する。【解決手段】  マネキンの下半身構造は、台座部材１８に着脱自在に固定されるマネキン１０の下半身構造であって、腰部材１２と、太腿から足首までの下肢部材１４と、足首から爪先までの足部材１６とを備え、前記腰部材１２、下肢部材１４、足部材１６及び台座部材１８は、それぞれが、薄肉の表面部を備えた、中空一体に合成樹脂で成形された構造であり、腰部材１２は、その下部に下肢部材１４との接合部２６が形成され、下肢部材１４は、その上部に腰部材１２との接合部４６が形成され且つその下部に足部材１６との接合部６０が形成され、前記足部材１６との接合部６０は、足部材１６に着脱自在に固定するための固定棒状部６４が形成され、足部材１６は、その上部に下肢部材１４との接合部８６が形成され、その裏側に台座部材１８との固定部８８が形成されている。【選択図】図１
2006320674.tif 000002
【特許請求の範囲】
【請求項１】
台座部材に着脱自在に固定されるマネキンの下半身構造であって、
腰部材と、太腿から足首までの下肢部材と、足首から爪先までの足部材とを備え、
前記腰部材、下肢部材、足部材及び台座部材は、それぞれが、薄肉の表面部を備えた、中空一体に合成樹脂で成形された構造であり、
腰部材は、その下部に下肢部材との接合部が形成され、
下肢部材は、
その上部に腰部材との接合部が形成され且つその下部に足部材との接合部が形成され、
前記足部材との接合部は、足部材に着脱自在に固定するための固定棒状部が形成され、
足部材は、
その上部に下肢部材との接合部が形成され、
その裏側に台座部材との固定部が形成され、
下肢部材との接合部は、その一部に、下肢部材の固定棒状部を貫挿するための第１貫通孔が形成され、
前記第１貫通孔の下方において、足の裏部、踵部及び土踏まず部のうち少なくとも１つに下肢部材の固定棒状部を支持する支持部が形成され、
前記足部材の固定部は、踵部、土踏まず部、足の裏部のうち少なくとも一つに、台座部材に固定するための貫挿部が形成され、且つ、台座部材は、前記足部材の貫挿部に貫挿される貫挿部が形成された、マネキンの下半身構造。
【請求項２】
腰部材、下肢部材、足部材及び台座部材は、熱可塑性合成樹脂で、ブロー成形により中空一体に成形されてなる、請求項１に記載のマネキンの下半身構造。
【請求項３】
下肢部材は、足部材との接合部が水平面状に形成され、
足部材は、下肢部材との接合部が水平面状に形成され、
下肢部材の接合部と足部材の接合部とが密着するように構成された、請求項１または２に記載のマネキンの下半身構造。
【請求項４】
下肢部材の固定棒状部は、足部材の第１貫挿孔に貫挿された、請求項１ないし３のいずれかに記載のマネキンの下半身構造。
【請求項５】
足部材の支持部は、下肢部材の棒状部を貫挿する第２貫通孔からなる、請求項１ないし４のいずれかに記載のマネキンの下半身構造。
【請求項６】
足部材は、上方から目視可能に第１貫通孔が形成され、且つ、下肢部材の固定棒状部を支持部に案内するための案内部が、中空部内において、第１貫通孔と支持部との間に設けられる、請求項１ないし５のいずれかに記載のマネキンの下半身構造。
【請求項７】
前記案内部は、第１貫通孔の上方から嵌挿されて、足部材の中空部内において、支持部に達する筒状体によって形成される、請求項６に記載のマネキンの下半身構造。
【請求項８】
前記案内部は、柔軟で復元性を有する紙又は合成樹脂からなるシート体が、丸められて底円部と頂点部とを有する円錐状に成形され、且つ、前記円錐状のシート体が、頂点部を下方にして第１貫通孔の上方から嵌挿されて、足部材の中空部内において、底円部が第１貫通孔に位置し、頂点部が支持部の下部に達する略逆円錐状筒状体によって形成される、請求項６または７に記載のマネキンの下半身構造。
【発明の詳細な説明】
【技術分野】
【０００１】
この発明は、マネキンの下半身構造に関し、特に、マネキン、すなわち衣裳を着せて飾る陳列用の等身大の人形の下半身の構造に関するものである。
【背景技術】
【０００２】
マネキン人形は、通常ＦＲＰなどの硬質の合成樹脂で人の体型を模して製作されているが、マネキン人形に衣裳を着せて飾るために衣裳の着替えが必要となる。ところが、マネキンの重量は重く、取り扱いに不便で、衣裳の着せ替えに手間取るという問題がある。
しかしながら、マネキン人形は、等身大の陳列用人形のため、安定性よく自立できることが求めらる。例えば実用新案登録第３６０７２２号のマネキン人形は、マネキン人形の足を重くしてベーススタンドを使わずに自立できる構造といったような、自立できる構造を備えている。
更に、マネキン人形は、ハイヒール用として爪先立った形態、ミドルヒール用として踵が若干浮いた形態、そしてローヒール用として略ベタ足の形態といったように、幾つかの形態が要求される。
そこで、特開２００３−２６５２８７号公報にて、マネキン人形の足体に関する構造が提案されている。
【０００３】
【特許文献１】実用新案登録第３６０７２２号
【特許文献２】特開２００３−２６５２８７号公報
【発明の開示】
【発明が解決しようとする課題】
【０００４】
実用新案登録第３６０７２２号のマネキン人形は、ベーススタンドを使わずに自立できるようにマネキン人形の足を重くした構造を有しているが、これではマネキン人形の軽量化を図るという目的には沿わない。また、設置面積が少なく不安定さは免れず、足に突設されたインローシャフトはマネキン人形が倒れたときなどに危害を加える恐れもある。
また、特開２００３−２６５２８７号のマネキン人形の足体構造は、金属等のスタンドを人形の腰部やふくらはぎ部分等に挿入固定して自立させなければならず、軽量化を図るという目的には沿わない。
それゆえに、この発明の主たる目的は、軽量で衣裳の着せ替えがし易く、自立する構造になるマネキンの下半身構造を提供することである。
【課題を解決するための手段】
【０００５】
この発明の請求項１にかかるマネキンの下半身構造は、台座部材に着脱自在に固定されるマネキンの下半身構造であって、腰部材と、太腿から足首までの下肢部材と、足首から爪先までの足部材とを備え、前記腰部材、下肢部材、足部材及び台座部材は、それぞれが、薄肉の表面部を備えた、中空一体に合成樹脂で成形された構造であり、腰部材は、その下部に下肢部材との接合部が形成され、下肢部材は、その上部に腰部材との接合部が形成され且つその下部に足部材との接合部が形成され、前記足部材との接合部は、足部材に着脱自在に固定するための固定棒状部が形成され、足部材は、その上部に下肢部材との接合部が形成され、その裏側に台座部材との固定部が形成され、下肢部材との接合部は、その一部に、下肢部材の固定棒状部を貫挿するための第１貫通孔が形成され、前記第１貫通孔の下方において、足の裏部、踵部及び土踏まず部のうち少なくとも１つに下肢部材の固定棒状部を支持する支持部が形成され、前記足部材の固定部は、踵部、土踏まず部、足の裏部のうち少なくとも一つに、台座部材に固定するための貫挿部が形成され、且つ、台座部材は、前記足部材の貫挿部に貫挿される貫挿部が形成された、マネキンの下半身構造である。
この発明の請求項２にかかるマネキンの下半身構造は、腰部材、下肢部材、足部材及び台座部材は、熱可塑性合成樹脂で、ブロー成形により中空一体に成形されてなる、請求項１に記載のマネキンの下半身構造である。
この発明の請求項３にかかるマネキンの下半身構造は、下肢部材は、足部材との接合部が水平面状に形成され、足部材は、下肢部材との接合部が水平面状に形成され、下肢部材の接合部と足部材の接合部とが密着するように構成された、請求項１または２に記載のマネキンの下半身構造である。
この発明の請求項４にかかるマネキンの下半身構造は、下肢部材の固定棒状部は、足部材の第１貫挿孔に貫挿された、請求項１ないし３のいずれかに記載のマネキンの下半身構造である。
この発明の請求項５にかかるマネキンの下半身構造は、足部材の支持部は、下肢部材の棒状部を貫挿する第２貫通孔からなる、請求項１ないし４のいずれかに記載のマネキンの下半身構造である。
この発明の請求項６にかかるマネキンの下半身構造は、足部材は、上方から目視可能に第１貫通孔が形成され、且つ、下肢部材の固定棒状部を支持部に案内するための案内部が、中空部内において、第１貫通孔と支持部との間に設けられる、請求項１ないし５のいずれかに記載のマネキンの下半身構造である。
この発明の請求項７にかかるマネキンの下半身構造は、前記案内部は、第１貫通孔の上方から嵌挿されて、足部材の中空部内において、支持部に達する筒状体によって形成される、請求項６に記載のマネキンの下半身構造である。
この発明の請求項８にかかるマネキンの下半身構造は、前記案内部は、柔軟で復元性を有する紙又は合成樹脂からなるシート体が、丸められて底円部と頂点部とを有する円錐状に成形され、且つ、前記円錐状のシート体が、頂点部を下方にして第１貫通孔の上方から嵌挿されて、足部材の中空部内において、底円部が第１貫通孔に位置し、頂点部が支持部の下部に達する略逆円錐状筒状体によって形成される、請求項６または７に記載のマネキンの下半身構造である。
【発明の効果】
【０００６】
この発明によれば、腰部材と、下肢部材と、足部材と、台座部材に分離されているので、例えば、腰部材及び下肢部材と足部材及び台座部材とを分離して、下肢部材の下方からズボンをはかせることができるなど衣裳の着せ替えが容易であり、しかも、下肢部材の固定棒状部は足部材に貫挿するだけで固定でき、その連結が容易である。
しかも、腰部材及び下肢部材は、接合部の固定により連結され、下肢部材の固定棒状部と足部材の接合部との固定により支持されるために安定的に支持される。
更に、腰部材、下肢部材、足部材及び台座部材は、薄肉の表面部を備えた、中空一体に合成樹脂で成形された構造であるため、軽量化を図ることが容易である。
請求項２の発明によれば、腰部材、下肢部材、足部材及び台座部材が、熱可塑性合成樹脂でブロー成形により中空一体に成形されてなるので、軽量化を図ることができ、しかも低コスト化を図ることが可能となる。
請求項３の発明によれば、下肢部材は、足部材との固定接合部が水平面上に形成され、足部材は、下肢部材との接合部が水平面上に形成され、下肢部材の接合部と足部材の接合部とが密着するように構成されているので、足部材に下肢部材を安定的に固定することができ、台座部材により自立させることが容易となる。
請求項４の発明によれば、下肢部材の固定棒状部は、足部材の第１貫通孔に貫挿されるので、下肢部材の足部材における支持が確実になされる。
請求項５の発明によれば、足部材の支持部は、下肢部材の固定棒状部を貫挿する第２貫通孔からなるので、下肢部材を足部材に固定することが容易で、足部材に下肢部材を確実に固定でき、下肢部材を支持させることができる。
請求項６の発明によれば、下肢部材の固定棒状部を、足部材の第１貫通孔を見ながら第１貫通孔内に嵌挿でき、且つ足部材の案内部によって支持部に案内して、下肢部材を容易に足部材に固定することができる。
請求項７及び８の発明によれば、下肢部材の固定棒状部を、足部材の第１貫通孔を見ながら第１貫通孔内に嵌挿でき、且つ足部材の案内部を構成する筒状体の内面に沿って支持部に案内して、下肢部材を容易に足部材に固定することができる。
この発明の上述の目的、その他の目的、特徴および利点は、図面を参照して行う以下の発明を実施するための最良の形態の説明から一層明らかとなろう。
【発明を実施するための最良の形態】
【０００７】
図１は、この発明の一実施の形態であるマネキンの下半身構造の斜視図解図であり、図２は、図１図示マネキンの下半身構造の縦断面図解図であり、図３は、図１図示マネキンの腰部材及び下肢部材の接合部の近傍の斜視図解図であり、図４は、図１図示マネキンの腰部材及び下肢部材の接合部の近傍の断面図解図であり、図５は、図１図示マネキンの腰部材及び下肢部材の接合部の近傍の連結状態を示す断面図解図である。
図６は、図１図示マネキンの下肢部材、足部材及び台座部材の斜視図解図であり、図７は、図１図示マネキンの足部材の裏から見た斜視図解図であり、図８は、足部材と台座部材との連結方法を示す断面図解図であり、図９は、足部材と台座部材との連結方法を示す断面図解図であり、図１０は、下肢部材の足部材と台座部材の連結状態を示す部分断面図解図であり、図１１は、下肢部材にズボンをはかせる方法を示す斜視図解図である。
【０００８】
このマネキン１０は、衣裳、例えば、ズボンを着せて飾る陳列用の等身大（大人の体型に近い大きさ）の人形の下半身構造を備え、このマネキン１０の下半身構造は、腰部材１２と、太腿から足首までの下肢部材１４と、足首から爪先までの足部材１６とを備え、マネキン１０の下半身構造を自立させるための台座部材１８に着脱自在に固定される。
【０００９】
腰部材１２、下肢部材１４及び足部材１６は、それぞれが、ポリプロピレンなどの熱可塑性合成樹脂でブロー成形により中空一体に成形された、薄肉の表面部を備えた構造であり、また、台座部材１８は、ポリプロピレンなどの合成樹脂に炭酸カルシウムなどのフィラーを混ぜた材料でブロー成形によって中空一体に成形された構造を備える。
【００１０】
腰部材１２は、大人の体型に近い腰部２２と、腰部２２に連設された太腿部２４とを備え、その下部、すなわち太腿部２４の下端部には下肢部材１４と接合する接合部２６を備える。
腰部材１２の接合部２６は、外表面に続いて水平面状に形成された水平面部２８と、水平面部２８に続いて膨出して形成された嵌合凸部３０とを有している。
腰部材１２は、全体が均一な肉厚の薄肉の表面部によって形成され、腰部２２，太腿部２４，接合部２６，水平面部２８および嵌合凸部３０は、均一な肉厚の薄肉の表面層部を備える。
【００１１】
嵌合凸部３０は、その前後に、その下部より上部にゆくに従ってその幅が広がる平面三角形状の突起３２及び突起３４が、前後に分かれて形成されている。
突起３２及び突起３４は、腰部材１２が下肢部材１４から抜け出ることを防ぐように嵌め殺し構造を備えている。
また、水平面部２８は、その表面に、外側と内側に分かれて左右一対の横断面略円形状の凸起３６及び横断面略円形状の凸起３８が突設されている。
凸起３６及び凸起３８は、腰部材１２が下肢部材１４との位置決めをするために形成されている。
突起３２と突起３４とを結ぶ前後軸と、凸起３６と凸起３８とを結ぶ左右軸とは、略直交するように構成されている。
【００１２】
下肢部材１４は、右脚部材４２と左脚部材４４とを備え、右脚部材４２及び左脚部材４４の上部には、前記腰部材１２の接合部２６と接合する接合部４６が形成されている。
下肢部材１４は、全体が均一な肉厚の薄肉の表面部によって形成され、右脚部材４２，左脚部材４４及び接合部４６は、均一な肉厚の薄肉の表面層部を備える。
下肢部材１４の接合部４６は、前記腰部材１２の水平面部２８と密着するための水平面部４８がその外表面から内に向かって連続して形成されている。
【００１３】
水平面部４８は、前記腰部材１２の嵌合凸部３０を嵌合させるための嵌合孔部５０が穿設され、嵌合孔部５０の縁部には、前後に分かれた嵌合凹部５２及び嵌合凹部５４が嵌合孔部５０の孔縁より連続して穿設されている。
嵌合凹部５２は、腰部材１２の突起３２に対応する位置に形成され、また、嵌合凹部５４は、前記腰部材１２の突起３４に対応する位置に形成されており、腰部材１２の突起３２及び突起３４を上方から嵌め込み、腰部材１２を下肢部材１４に固定するために形成される。
突起３２及び突起３４の水平面部２８側には、水平面部２８の厚み分の高さを備えた係止凹部が形成され、下肢部材１４の嵌合凹部５２及び嵌合凹部５４の孔縁は、突起３２と水平面部２８との間の係止凹部及び突起３４と水平面部２８との間の係止凹部に嵌合され、突起３２の段部３２ａ及び突起３４の段部３４ａに係止される。
また、水平面部４８は、内側と外側に分かれて嵌合孔５６及び嵌合孔５８が穿設されている。
嵌合孔５６は、腰部材１２の凸起３６に対応する位置に形成され、また、及び嵌合孔５８は、前記腰部材１２の凸起４８に対応する位置に形成され、凸起３６及び凸起３８を嵌合して、腰部材１２と下肢部材１４との連結方向を決定するために形成されている。
【００１４】
下肢部材１４の右脚部材４２及び左脚部材４４の下部に、足部材１６と接合するための接合部６０が形成されている。接合部６０は、その外表面より内側に続き水平面状に形成された水平面部６２を備え、水平面部６２の中央付近より下方に向けて、足部材１６に着脱自在に固定するための固定棒状部６４が突設されている。
固定棒状部６４は、根元（上部）は太く、角柱状に形成され、その長手方向中央より先端部に向けて先細に形成されてなる。
水平面部６２及び固定棒状部６４を有する接合部６０は、均一な肉厚の薄肉の表面層部を備える。
【００１５】
足部材１６は、足のくるぶしの上の所の近傍の形状を有する足首部７２と、足首部７２の下方に続く踵部７４と、足首部７２の前方に続く足の甲部７６、踵部７４の前方下部に続く土踏まず部７８を及び土踏まず部７８の前方下部に続く足の裏部８０有する足本体８２と、足本体８２の前方に続く爪先部８４とを有する。
足部材１６は、全体が均一な肉厚の薄肉の表面部によって形成され、足首部７２，踵部７４，足本体８２及び爪先部８４は、均一な肉厚の薄肉の表面層部を備える。
【００１６】
足部材１６は、その上部、すなわち足首部７２の上部に下肢部材１４の接合部６０と接合するための接合部８６が形成され、その裏側に、台座部材１８との固定部が形成されている。
足部材１６の接合部８６は、その外周部より内側に向かって続く水平面状に形成され、下肢部材１４の接合部６０と密着するように構成されている。
足部材１６の接合部８６の中央には、前記下肢部材１４の固定棒状部６４を貫挿するための第１貫通孔８８が穿設されている。
前記第１貫通孔８８の下方において、この実施の形態においては第１貫通孔８８の垂直下の土踏まず部７８において、下肢部材１４の固定棒状部６４の先端部を支持する支持部たる第２貫通孔９０が穿設されている。
第１貫通孔８８は、下肢部材１４の固定棒状部６４を挿入し易くするために、やや大きく開口され、第２貫通孔９０は、第１貫通孔８８に比して小さく開口されている。
下肢部材１４の固定棒状部６４を支持する支持部は、足の裏部８０または踵部７４の位置に形成されてもよく、また第２貫通孔９０に代えて足の裏部８０、土踏まず部７８、踵部７４の内部に凹んだ凹みを形成して、下肢部材１４の固定棒状部６４の先端を支持する支持部としてもよい。
【００１７】
足部材１６の固定部は、台座部材１８に固定するための貫挿部たる突起９２及び突起９４が形成されている。
この実施の形態においては、足部材１６は、ハイヒール用として爪先立った形態に形成されており、足の裏部８０から爪先部８４の裏にかけて台座部材１８の表面に設置され、また、踵部７４が台座部材１８の膨出した高い位置に設置されるように構成されている。
貫挿部たる突起９２は、踵部７４の後方下部に突設され、貫挿部たる突起９４は、爪先部８４の裏に突設されている。
もっともミドルヒール用として踵が若干浮いた形態及びローヒール用として略ベタ足の形態の場合のいずれの形態も前記実施の形態と同様、２箇所に分かれて貫挿部が形成された構造の方が台座部材１８へ足部材１６を安定的に固定をすることができる。
【００１８】
爪先部８４の裏に形成された突起９４は、前後に伸びる正面長方形状で、その前端部には切り欠き９４ａが穿設され、正面略Ｌ字型に構成されている。
【００１９】
台座部材１８は、ポリプロピレン樹脂に炭酸カルシウムなどのフィラーを混ぜた合成樹脂でブロー成形により中空一体に成形された構造で、薄肉の表面部を備え、足部材１６の形状に対応した平面形状及び側面形状を備える。
この実施の形態においては、台座部材１８は、足部材１６を構成する右脚部材４２が左脚部材４４よりやや前方に踏み出した位置において固定され且つ左脚部材４４がやや腰より後方に残った位置において固定されるように平面状に形成されるとともにハイヒール用として爪先立った形態に対応して後方部がやや盛り上がって浮いた踵部接地部１０２が形成されている。
台座部材１８は、平面視して腰部材１２、下肢部材１４及び足部材１６の最も外側部位よりより外側に出た形状に成形され、自立状態で安定性を保つように形成されている。
また、足部材１６の踵部７４が設置される踵部設置部１０２は高く上方に向けて膨出され、踵部設置部１０２は、足部材１６を固定するための固定部たる嵌合孔部１０６が穿設されている。また、踵部接地部１０２の前方に、足部材１６の足の裏部８０及び爪先部８４が設置される足の裏接地部１０４が形成され、足の裏接地部１０４は、前記足部材１６の突起９４を嵌合するための嵌合孔部１０８が穿設されている。
台座部材１８は、裏面が平面状に形成され、マネキン１０の下半身が安定性よく自立できるように構成されている。
【００２０】
前記足部材１６は、上方から目視可能に第１貫通孔８８が形成されているが、下肢部材１４の固定棒状部６４の先端を第１貫通孔８８からその下方にある第２貫通孔９０に向けて嵌挿するためにより入れやすくするためのガイドとなる案内部１１０が、図１２及び１３に示すように、足部材１６の中空部１６ａ内において、第１貫通孔８８と支持部たる第２貫通孔９０との間に設けられている。
【００２１】
案内部１１０は、柔軟で復元性を有する紙または合成樹脂からなるシート体１１２が丸められて円錐状筒状体に成形されてなり、案内部１１０を構成する円錐状筒状体１１４は、底円部１１４ａと頂点部１１４ｂとを有している。
そして、円錐状筒状体１１４は、頂点部１１４ｂを下方にして第１貫通孔８８の上方から嵌挿されて、足部材１６の中空部１６ａ内において、底円部１１４ａが第１貫通孔８８に位置し、円錐状筒状体１１４の頂点部１１４ｂが支持部たる第２貫通孔９０の下部の近傍に達する逆円錐状筒状体１１４によって案内部１１０を構成している。
このような略逆円錐状筒状体１１４によって形成される案内部１１０は、足部材１６の第１貫通孔８８の上方から第１貫通孔８８を見ながら、腰部材１２及び下肢部材１４を手で持って支持しながら、下肢部材１４の固定棒状部６４の先細先端部を第１貫通孔８８に入れて、その案内部１１０の孔内に沿って入れると、支持部たる第２貫通孔９０の近傍に案内され、第２貫通孔９０の孔内に下肢部材１４の固定棒状部６４の先端近傍が嵌挿されて固定されるように形成されている。
【００２２】
この実施の形態においては、案内部１１０を構成するシート体１１２は、柔軟で復元性を有する厚紙または合成樹脂からなるシート体１１２で、その平面形状は扇形のシート状物である。
そして、扇形のシート体１１２は、その劣弧部分が円錐状筒状体１１４の底円部１１４ａとなり、シート体１１２の中心点部分が円錐状筒状体１１４の頂点部１１４ｂとなるように丸められ、第１貫通孔８８の上方から嵌挿されて足部材１６の中空部１６ａ内において支持部たる第２貫通孔９０に達する筒状体に成形される。第１貫通孔８８及び第２貫通孔９０の直径より補足丸められたシート体１１２は、第１貫通孔８８の下部より第２貫通孔９０の下部に至るように嵌挿されたとき、シート体１１２を丸めている例えば手を離せば、シート体１１２の復元力によって第１貫通孔８８及び第２貫通孔９０の孔縁に達するまで広がり略逆円錐状筒状体１１４が構成されるように形成されている。
このように、この実施の形態においては、シート体１１２は、丸めて、足部材１６の中空部１６ａ内において、第１貫通孔８８の下方から第２貫通孔９０の下部に至るように嵌挿して固定しやすく、且つ、下肢部材１４の固定棒状部６４を足部材１６に固定するときにも、案内部１１０を構成して、たとえ下肢部材１４にズボンをはかせていて下肢部材１４の下部が見にくくても、足部材１６に固定棒状部６４を固定することが極めて容易となる。
【００２３】
次に、このマネキン１０の下半身構造の利用方法について説明する。
腰部材１２と下肢部材１４との連結は、腰部材１２の嵌合凸部３０を下肢部材１４の嵌合孔部５０に嵌合させ、そして腰部材１２の突起３２を下肢部材１４の嵌合凹部５２に嵌合させ且つ突起３４を嵌合凹部５４に嵌合させて固定するとともに、腰部材の凸起３６を下肢部材の嵌合孔５６に嵌合させ且つ凸起３８を嵌合孔５８に嵌合させて固定することにより行われる。そして、腰部材１２の水平面部２８と下肢部材１４の水平面部６２とを密着させて、腰部材１２と下肢部材１４とを堅固に固定連結する。
【００２４】
足部材１６と台座部材１８との連結は、足部材１６の突起９４を台座部材１８の足の裏接地部１０４の嵌合孔部１０８に貫挿し、前方にスライドさせて足部材１６の突起９４の切り欠き９４ａに台座部材１８の嵌合孔部１０８の孔縁を係合させることにより行われる。
そして、足部材１６の突起９２を台座部材１８の踵部設置部１０２の嵌合孔部１０６に嵌合させることにより、足部材１６は台座部材１８に堅固に連結される。
【００２５】
腰部材１２に連結された下肢部材１４の下部よりズボンをはかせて腰部材１２の上部近傍でズボンのベルト固定部近傍を固定させれば、腰部材１２及び下肢部材１４にズボンをはかせることができる。
このとき、腰部材１２及び下肢部材１４は、軽量なため、ズボンを着替えさせることも容易であり、その取り扱いは極めて便利である。
【００２６】
その後、下肢部材１４の固定棒状部６４を足部材１６の第１貫通孔８８に貫挿するとともに第２貫通孔９０に貫挿させて、腰部材１２及び下肢部材１４を足部材１６に固定すれば、マネキン１０の下半身を台座部材１８の上部に自立させることができる。
この実施の形態においては、台座部材１８は、ポリプロピレン樹脂以外に炭酸カルシウムなどのフィラーを混ぜることによりより一層重量を増すように構成されているので、安定感を増すことができる。
【００２７】
このマネキン１０の下半身構造体の製造方法としては、例えばリサイクル可能なポリプロピレン樹脂またはポリエチレン樹脂などの熱可塑性樹脂を素材とした溶融中空体（パリソン）を形成した後、溶融中空体（パリソン）を雌金型の内部に垂下形成させ、溶融中空体（パリソン）に圧縮空気を吹き込み、薄肉の表面部を備えた中空一体の腰部材１２、下肢部材１４、足部材１６及び台座部材１８を成形すればよい。
【００２８】
この発明は、前記実施の形態に限らずこの発明の思想に基づいて種々変更することが可能である。
例えば、足部材１６の第１貫通孔８８に下肢部材１４の固定棒状部６４を挿入するときに所定方向に案内するためのガイドを、第１貫通孔８８の内側に形成してもよい。
【００２９】
この実施の形態によれば、下肢部材１４の固定棒状部６４は、足部材１６の第１貫通孔８８と足部材１６の下方の第２貫通孔９０の２点において支持され、且つ、固定棒状部６４を略垂直状に固定することができるので、安定性よく自立させることができる。
また、下肢部材１４の右脚部材４２と左脚部材４４とは前後方向に離れて伸びるように構成されているので、左右方向のみならず前後方向に対しても安定性よく自立させることができる。
【図面の簡単な説明】
【００３０】
【図１】この発明の一実施の形態であるマネキンの下半身構造の斜視図解図である。
【図２】図１図示マネキンの下半身構造の縦断面図解図である。
【図３】図１図示マネキンの腰部材及び下肢部材の接合部の近傍の斜視図解図である    。
【図４】図１図示マネキンの腰部材及び下肢部材の接合部の近傍の断面図解図である    。
【図５】図１図示マネキンの腰部材及び下肢部材の接合部の近傍の連結状態を示す断    面図解図である。
【図６】図１図示マネキンの下肢部材、足部材及び台座部材の斜視図解図である。
【図７】図１図示マネキンの足部材の裏から見た斜視図解図である。
【図８】足部材と台座部材との連結方法を示す断面図解図である。
【図９】足部材と台座部材との連結方法を示す断面図解図である。
【図１０】下肢部材の足部材と台座部材の連結状態を示す部分断面図解図である。
【図１１】下肢部材にズボンをはかせる方法を示す斜視図解図である。
【図１２】案内部の構成を示す図解図で、（ａ）はシート体の成形方法を示す図解図であり、（ｂ）は足部材に案内部を構成する方法を示す図解図である。
【図１３】下肢部材を足部材に固定する方法を示す図解図である。
【符号の説明】
【００３１】
１０  マネキン
１２  腰部材
１４  下肢部材
１６  足部材
１６ａ  中空部
１８  台座部材
２２  腰部
２４  太股部
２６  接合部（腰部材の）
２８  水平面部
３０  嵌合凸部
３２  突起
３４  突起
３６  凸起
３８  凸起
４２  右脚部材
４４  左脚部材
４６  接合部（下肢部材の）
４８  水平面部
５０  嵌合孔部
５２  嵌合凹部
５４  嵌合凹部
５６  嵌合孔
５８  嵌合孔
６０  接合部（下肢部材の）
６２  水平面部
６４  固定棒状部
７２  足首部
７４  踵部
７６  足の甲部
７８  土踏まず部
８０  足の裏部
８２  足本体
８４  爪先部
８６  接合部（足部材の）
８８  第１貫通孔
９０  第２貫通孔
９２  突起（踵部の）
９４  突起（爪先部の）
９４ａ  切り欠き
１０２  踵部接地部
１０４  足の裏接地部
１０６  嵌合孔部
１０８  嵌合孔部
１１０  案内部
１１２  シート体
１１４  円錐状筒状体
１１４ａ  底円部
１１４ｂ  頂点部
【図１】
2006320674.tif 000003
【図２】
2006320674.tif 000004
【図３】
2006320674.tif 000005
【図４】
2006320674.tif 000006
【図５】
2006320674.tif 000007
【図６】
2006320674.tif 000008
【図７】
2006320674.tif 000009
【図８】
2006320674.tif 000010
【図９】
2006320674.tif 000011
【図１０】
2006320674.tif 000012
【図１１】
2006320674.tif 000013
【図１２】
2006320674.tif 000014
【図１３】
2006320674.tif 000015